(57)【要約】【課題】不正行為の防止効果を高めるようにした基板ケース及びこの基板ケースを備える遊技機を提供する。【解決手段】基板ケースは、制御基板を挟むように被覆する一対のケース体と、両ケース体を連結した状態で封印する封印手段とを備え、封印手段は、各ケース体にそれぞれ設けられる係合部と、両係合部を締結する締結具とを備え、締結具は、一方のケース体の係合部から他方のケース体の係合部に向かって挿入することにより両係合部を掛止する掛止ピンと、掛止ピンの挿入過程で掛止ピンに押圧されることにより、一方のケース体の係合部から他方のケース体の係合部に向かって移動して両ケース体の係合部を係止する係止部材とを備える。【選択図】図１１
2014166206.tif 000002
【特許請求の範囲】
【請求項１】
遊技機内に設けられる制御基板を収納する基板ケースにおいて、
制御基板を挟むように被覆する一対のケース体と、両ケース体を連結した状態で封印する封印手段とを備え、
封印手段は、各ケース体にそれぞれ設けられる係合部と、両係合部を締結する締結具とを備え、
締結具は、一方のケース体の係合部から他方のケース体の係合部に向かって挿入することにより両係合部を掛止する掛止ピンと、
掛止ピンの挿入過程で掛止ピンに押圧されることにより、一方のケース体の係合部から他方のケース体の係合部に向かって移動して両ケース体の係合部を係止する係止部材とを備えることを特徴とする基板ケース。
【請求項２】
一方の係合部は他方の係合部を外側から覆う構造を有し、掛止ピンは外側の係合部から内側の係合部に向かって挿入することにより両係合部を係止するとともに、係止部材は掛止ピンに押圧されることにより掛止ピンの挿入方向とは直交する方向に移動して両係合部を係止する請求項１に記載の基板ケース。
【請求項３】
前記係止部材は、内側の係合部内に収納された初期位置から、その一部が内側の係合部から外側に突出して両係合部を係止する係止位置に向かって移動可能に、内側の係合部に支持されており、掛止ピンは、その挿入過程で係止部材に接触し係止部材を初期位置から係止位置に向けて押圧する押圧部を備える請求項２に記載の基板ケース。
【請求項４】
前記係止部材は、接近離間方向の相対移動可能に内側の係合部に支持された一対のスライド部材から構成され、掛止ピンは、初期位置にある一対のスライド部材の間に挿入される請求項３に記載の基板ケース。
【請求項５】
請求項１から４のいずれか１項に記載の基板ケースを備えることを特徴とする遊技機。
【発明の詳細な説明】
【技術分野】
【０００１】
本発明は、パチンコ機等の遊技機に設けられる制御基板の基板ケース及びこの基板ケースを用いる遊技機に関する。
【背景技術】
【０００２】
従来のパチンコ機等の遊技機では、内蔵される主制御部、副制御部、払出制御部等の各種の制御部によって、遊技の進行制御が行われている。
【０００３】
各制御部は、各種の制御基板が基板ケースに収納された状態で構成される。基板ケースは、例えば２つの構成部材（ケース体）によって制御基板を覆うように内側に収納することができる。
【０００４】
通常、この基板ケースには、内部に収納されている制御基板が不正に取り出されないようにするために、封印手段によって封印されている（例えば特許文献１参照）。封印手段は、基板ケースの２つの構成部材をロックするロックピンを有する。
【０００５】
ロックピンは、基板ケースの２つの構成部材の所定部位に設けられる取付部に係合することにより、２つの構成部材を連結する。基板ケースは、封印手段が解除されたかどうかを確認することにより、基板ケース内の制御基板が不正に取り出されたかどうかを確認できる。さらに、基板ケースは、封印手段によって封印されることにより、不正な行為を行おうとする者に対する抑止効果を発揮している。
【先行技術文献】
【特許文献】
【０００６】
【特許文献１】特開２０１２−２２３３４８号公報
【発明の概要】
【発明が解決しようとする課題】
【０００７】
近年、不正行為のさらなる巧妙化が問題となってきており、封印による不正行為の防止効果を高めることが重要になってきている。
【０００８】
本発明は、上記の事情に鑑みてなされたものであり、不正行為の防止効果を高めるようにした基板ケース及びこの基板ケースを備える遊技機を提供することを目的とする。
【課題を解決するための手段】
【０００９】
本発明は、上記の課題を解決するためのものであって、遊技機内に設けられる制御基板を収納する基板ケースにおいて、制御基板を挟むように被覆する一対のケース体と、両ケース体を連結した状態で封印する封印手段とを備え、封印手段は、各ケース体にそれぞれ設けられる係合部と、両係合部を締結する締結具とを備え、締結具は、一方のケース体の係合部から他方のケース体の係合部に向かって挿入することにより両係合部を掛止する掛止ピンと、掛止ピンの挿入過程で掛止ピンに押圧されることにより、一方のケース体の係合部から他方のケース体の係合部に向かって移動して両ケース体の係合部を係止する係止部材とを備えることを特徴とする。
【００１０】
かかる構成によれば、基板ケースは、掛止ピンによる封印と係止部材による封印の２重の封印によって、不正行為の防止効果が高められる。
【００１１】
また、本発明に係る基板ケースによれば、一方の係合部は他方の係合部を外側から覆う構造を有し、掛止ピンは外側の係合部から内側の係合部に向かって挿入することにより両係合部を係止するとともに、係止部材は掛止ピンに押圧されることにより掛止ピンの挿入方向とは直交する方向に移動して両係合部を係止することが望ましい。
【００１２】
また、本発明に係る基板ケースによれば、前記係止部材は、内側の係合部内に収納された初期位置から、その一部が内側の係合部から外側に突出して両係合部を係止する係止位置に向かって移動可能に、内側の係合部に支持されており、掛止ピンは、その挿入過程で係止部材に接触し係止部材を初期位置から係止位置に向けて押圧する押圧部を備えることが望ましい。
【００１３】
また、本発明に係る基板ケースによれば、前記係止部材は、接近離間方向の相対移動可能に内側の係合部に支持された一対のスライド部材から構成され、掛止ピンは、初期位置にある一対のスライド部材の間に挿入されることが望ましい。
【００１４】
また、本発明に係る遊技機は、上記の基板ケースを備えることを特徴とする。
【発明の効果】
【００１５】
本発明によれば、不正行為の防止効果を高めるようにした基板ケース及びこの基板ケースを備える遊技機を提供できる。
【図面の簡単な説明】
【００１６】
【図１】図１は、本発明に係る遊技機の一実施形態を示す斜視図である。
【図２】図２は、本発明に係る遊技機の背面図である。
【図３】図３は、本発明に係る基板ケースの斜視図である。
【図４】図４は、本発明に係る基板ケースの斜視図である。
【図５】図５は、本発明に係る基板ケースの分解斜視図である。
【図６】図６は、払出制御基板と遊技球貸出装置接続端子板とが接続された状態を示す平面図である。
【図７】図７は、遊技球貸出装置接続端子板の端子部を保護する保護部材の斜視図である。
【図８】図８は、払出制御基板と遊技球貸出装置接続端子板とが接続された状態を示す斜視図である。
【図９】図９は、基板ケースの封印手段の一部を示す断面図である。
【図１０】図１０は、基板ケースの封印手段を示す断面図である。
【図１１】図１１は、基板ケースの封印手段を示す断面図である。
【図１２】図１２は、基板ケースの封印手段の係止部材及び保持部材を示す斜視図である。
【発明を実施するための形態】
【００１７】
以下、本発明を実施するための形態について図面を参照しながら説明する。図１〜図１２は、本発明に係る遊技機の一実施形態を示す。
【００１８】
本実施形態に係るパチンコ遊技機は、図１に示すように、矩形状に枠組みされた外枠１と、外枠１に開閉自在に取り付けられる遊技盤保持枠（図示略）に保持される遊技盤２と、遊技盤保持枠に開閉自在に取り付けられる扉３とを備える。なお、扉３には、内部の遊技盤２を視認できるように、透明板（例えばガラス板等）からなる窓部（図示略）が設けられている。
【００１９】
遊技盤２は、所定の情報を表示する表示装置４と、遊技盤２に向けて遊技球を発射させるための発射装置（図示略）から発射された遊技球を上部に導くためのガイドレール５と、遊技球が通過可能なゲート６と、遊技球が入球可能な入球口７と、遊技球を機内に回収するための回収口８と、遊技球がゲート６及び入球口７に入球したことをそれぞれ検出する検出部（図示略）と、所定の入球口７を開閉させる開閉手段９とを備える。
【００２０】
なお、遊技盤２には、多数の遊技釘（図示略）が打設されており、遊技領域を転動する遊技球、即ち、上部に導かれた遊技球が、複数の遊技釘に衝突を繰り返しつつ、又は遊技釘間を通って下方に落下する。
【００２１】
さらに、遊技機は、発射装置を操作するためのハンドル１０と、発射装置に供給するための遊技球を貯留する受皿１１と、電飾用のランプ１２と、効果音を発生させるスピーカ１３とを備える。また、受皿１１の縁部の上面には、貸出ボタン１１ａ及び返却ボタン１１ｂが設けられている。貸出ボタン１１ａは、遊技球貸出装置に対し予め定められた度数分の遊技球の貸出を指示するためのボタンである。また、返却ボタン１１ｂは、遊技球貸出装置に対し残度数記録媒体の返却を指示するためのボタンである。
【００２２】
図２に示すように、遊技機の背面には、各部を制御すべく、遊技の進行を制御する主制御部１４、主制御部１４からの信号に基づいて、表示装置４に所定の遊技状態を表示させるとともに、ランプ１２、スピーカ１３等の各部の制御を行う副制御部１５、遊技球の払い出しの制御を行う払出制御部１６、及び払出制御部１６からの信号に基づいて所定数の遊技球を払い出す払出装置（図示略）等が設けられている。
【００２３】
また、遊技機の内部には、遊技店内に配置されるホールコンピュータと主制御部１４とを接続するための外部端子板、遊技機外に並設される遊技球貸出装置からの信号を払出制御部１６に送信するための遊技球貸出装置接続端子板等が設けられている。
【００２４】
図３〜図５は、払出制御部１６を構成する払出制御基板１８と遊技球貸出装置接続端子板１９とを収納する基板ケース２２を示す。なお、基板ケース２２は、図２にも示されている。
【００２５】
基板ケース２２に収納される払出制御基板１８は、図５、図６及び図８に示すように、長方形状に構成される基板本体１８ａと、基板本体１８ａに搭載されるＣＰＵ、ＲＯＭ、ＲＡＭ、端子部（コネクタ）その他の電子部品１８ｂとを備える。
【００２６】
また、基板本体１８ａには、この基板本体１８ａを基板ケース２２に固定するためのねじを挿通させるための挿通孔１８ｃが形成されている（図５参照）。基板ケース２２には、ねじを螺合するためのねじ孔が形成されている。ねじを挿通孔１８ｃに挿通するとともにねじ孔に螺合することによって、基板本体１８ａは基板ケース２２に固定されることになる。
【００２７】
基板ケース２２に収納される遊技球貸出装置接続端子板１９は、図５、図６及び図８に示すように、長方形状の端子板本体１９ａと、遊技機の外部に並設される遊技球貸出装置と接続するための端子部１９ｂとを備える。端子板本体１９ａは、長辺の長さが基板本体１８ａの短辺の長さと略等しくなるように構成されている。端子板本体１９ａには、この端子板本体１９ａを基板ケース２２に固定するためのねじを挿通させるための挿通孔１９ｃが形成されている（図５参照）。基板ケース２２には、ねじを螺合するためのねじ孔が形成されている。ねじを挿通孔１９ｃに挿通するとともにねじ孔に螺合することによって、端子板本体１９ａは基板ケース２２に固定されることになる。
【００２８】
図８に示すように、端子部１９ｂには、業界の取決により、２５ピンのＤ−ｓｕｂ雌コネクタの標準品を用いており、端子部１９ｂは、その表面の導電体と端子板本体１９ａとの距離を一定以上に保つべく、両サイドに一対の支持柱１９ｄを有し、該両支持柱１９ｄの間に隙間Ｓが介在する架橋構造となっており、該隙間Ｓから複数のピン(足)が露出している。このため、図５〜図７に示すように、この隙間Ｓを閉塞して端子部１９ｂを保護するための保護部材２０が設けられている。
【００２９】
保護部材２０は、図７（ａ）（ｂ）に示すように、第１構成部材２０ａと、第２構成部材２０ｂとに分割されている。保護部材２０は、第１構成部材２０ａの一端部と第２構成部材２０ｂの一端部とを接触させることにより、端子部１９ｂの周囲を覆うように構成される。より具体的には、第１構成部材２０ａ及び第２構成部材２０ｂは、端子部１９ｂの周囲を覆うための壁部２０ｃと、第１ケース体２３の一部が係合する係合溝２０ｄと、端子部１９ｂの支持柱１９ｄに係合する係合爪２０ｅとを有する。
【００３０】
図５、図６に示すように、払出制御基板１８と遊技球貸出装置接続端子板１９とは、接続部材２１を介して接続されている。接続部材２１は、払出制御基板１８及び遊技球貸出装置接続端子板１９それぞれに設けられた、雄雌一対のボード・ツー・ボードコネクタで構成され、払出制御基板１８の基板本体１８ａの一辺と、遊技球貸出装置接続端子板１９の端子板本体１９ａの一辺とを連結するとともに、払出制御基板１８と遊技球貸出装置接続端子板１９とを電気的に接続している。
【００３１】
図３、図４に示すように、基板ケース２２は、第１ケース体２３と、第２ケース体２４と、第１ケース体２３及び第２ケース体２４が結合された状態を確認できるようにこれら封印する封印手段２５とを有する。第１ケース体２３及び第２ケース体２４は合成樹脂によって平面視長方形状に形成されている。第１ケース体２３及び第２ケース体２４の間には、払出制御基板１８及び遊技球貸出装置接続端子板１９を収納するための収納空間（以下「収納部」という）が形成されている。
【００３２】
第１ケース体２３は、基板ケース２２に収納される払出制御基板１８及び遊技球貸出装置接続端子板１９を目視で確認できるように、透明な樹脂によって平面視長方形状に構成されている。第１ケース体２３は、その長辺部分に第２ケース体２４に係合する複数の突起部２３ａを有する。この突起部２３ａは、図５に示すように、第１ケース体２３の長手方向に沿って長く突出している。第１ケース体２３は、その内面側に、基板本体１８ａ及び端子板本体１９ａを固定するためのねじを螺合させるためのねじ孔を有する。
【００３３】
また、第１ケース体２３は、図５に示すように、端子部１９ｂを外部に露出させるための露出孔２３ｂと、内部で端子部１９ｂの周囲を覆うための周壁部２３ｃと、露出孔２３ｂと端子部１９ｂとの隙間を塞ぐためのリブ２３ｄとを有する。露出孔２３ｂは、端子部１９ｂよりも大きく形成されている。露出孔２３ｂは、平面視において長方形状に構成されている。露出孔２３ｂの大きさは、保護部材２０の壁部２０ｃで囲まれた矩形状の外形と略同等の大きさとなっている。周壁部２３ｃは、第１ケース体２３の内方に突出して形成されている。周壁部２３ｃは、保護部材２０の係合溝２０ｄに嵌合するように構成される。また、この周壁部２３ｃは、保護部材２０の周囲を覆うように構成される。リブ２３ｄは、露出孔２３ｂの長辺部分に設けられている。
【００３４】
端子部１９ｂは、露出孔２３ｂを通じて基板ケース２２の外部に露出すること、第１ケース体２３の周壁部２３ｃが保護部材２０の係合溝２０ｄに係合すること、そして、端子板本体１９ａがねじによって第１ケース体２３に固定されることによって、基板ケース２２の厚さ方向又はコネクタ抜居方向に対して相対的に移動できないように規制される。すなわち、基板ケース２２には、内部に収納された払出制御基板１８及び遊技球貸出装置接続端子板１９のコネクタ抜居方向の相対移動を不能に規制する規制手段が設けられているということができる。なお、コネクタ抜居方向とは、端子部１９ｂに対するコネクタの挿脱の方向に沿う方向をいう。
【００３５】
第２ケース体２４は、第１ケース体２３の形状に対応して、平面視長方形状に構成されている。第２ケース体２４は、その長辺部分に、第１ケース体２３の突起部２３ａを覆うとともに長手方向に案内する壁部２４ａと、この突起部２３ａが挿入される溝部２４ｂと、この突起部２３ａを係止する係止部２４ｃとを有する。
【００３６】
壁部２４ａは、図５に示すように、第２ケース体２４の長手方向の一端部から他端部にわたって形成されている。溝部２４ｂは、壁部２４ａよりも第２ケース体２４の幅方向の内側に形成されている。この溝部２４ｂは、壁部２４ａと同様に、第２ケース体２４の長手方向の一端部から他端部にわたって形成されている。
【００３７】
溝部２４ｂには複数の係止部２４ｃが設けられている。係止部２４ｃは、溝部２４ｂの長手方向に沿って間隔をおいて形成されている。
【００３８】
封印手段２５は、図３、図４に示すように、長尺状に構成される基板ケース２２の長手方向における一端部に形成されている。この基板ケース２２には、２つの封印手段２５，２５が設けられている。両封印手段２５，２５の構成は同等であるため、以下、このうちの一方の封印手段２５の構成について説明する。
【００３９】
封印手段２５は、第１ケース体２３に形成される第１係合部２６と、第２ケース体２４に形成される第２係合部２７と、第１係合部２６と第２係合部２７とが係合された状態で、これらに挿入されることによって、第１係合部２６と第２係合部２７とを締結する締結具２８とを備える。
【００４０】
図４、図５に示すように、第１ケース体２３に形成される第１係合部２６は、第１ケース体２３の短辺部分に形成される壁部から突出する中空の四角柱状に構成されている。この第１係合部２６の突出端面には開口部（以下「第１開口部」という）２９が形成されている。また、第１係合部２６の側面にも開口部（以下「第２開口部」という）３０が形成されている。
【００４１】
図９〜図１２に示すように、突出部２６ａの内部には、第２ケース体２４を係止するための一対の係止部材３１,３１と、両係止部材３１，３１を保持する保持部材３２と、締結具２８の先端部を収納するための収納凹部３３とが設けられている。
【００４２】
各係止部材（スライド部材）３１は、保持部材３２及び第１係合部２６の外側に突出して第２ケース体２４を係止する係止位置と、保持部材３２内に収納された収納位置（初期位置）との間で、接近離間方向のスライド移動可能に保持部材３２に支持されている。各係止部材３１は、前記係止位置にて保持部材３２及び第１係合部２６の外側に突出して第２ケース体２４を係止する一対の係止突起部４１と、締結具２８の挿入過程で締結部２８に接触及び押圧される係合凹部４２と、前記係止位置へのスライド移動時に保持部材３２の端縁に係合して前記収納位置方向へのスライド移動を規制する固定部４３とを備える。
【００４３】
係止突起部４１は、板状に構成される。係合凹部４２は、図１２に示すように、保持部材３２の内方に面する凹面を備える。この凹面は断面視半円弧状の湾曲面である。両係止部材３１の係合凹部４２は、スライド移動方向において最も接近対向した前記収納位置にあるとき、締結具２８の最先端を挿通可能な円形状の孔部を形成する。
【００４４】
固定部４３は、係止突起部４１と同じ方向に突出して形成されている。固定部４３は、係止部材３１に形成される２つの係止突起部４１の間に形成されている。この固定部４３は、保持部材３２の厚さ方向に突出する突起部４４を有する。
【００４５】
保持部材３２は、板状に構成される第１構成部材３２ａ及び第２構成部材３２ｂを備える。保持部材３２は、第１構成部材３２ａと第２構成部材３２ｂを対向させて結合することにより、内側に一対の係止部材３１，３１をスライド移動可能に挟持している。第１構成部材３２ａは、係止部材３１を係止するための係止爪部３２ｃを有する。係止爪部３２ｃは、係止部材３１が係止位置にあるときに、係合凹部４２に内側から係合することで、係止部材３１を係止する。
【００４６】
保持部材３２は、第１構成部材３２ａに形成される矩形状の第１開口部４６と、第１構成部材３２ａと第２構成部材３２ｂとの接触部分に形成される第２開口部４７と、第２構成部材３２ｂに形成される円形状の第３開口部４８とを備える。第３開口部４８は、締結具２８の最先端を挿通可能な内径を有している。第１開口部４６と第３開口部４８とは、締結具２８の挿通方向において対向している。
【００４７】
第２開口部４７は、保持部材３２の内部に保持される係止部材３１を保持部材３２から突出させるために形成されている。第２開口部４７は、保持部材３２に保持される２つの係止部材３１に対応して、保持部材３２の対向する一対の側面にそれぞれ形成されている。
【００４８】
保持部材３２は、その短辺側を第１係合部２６の第２開口部３０から挿入することにより、第１係合部２６内に収納されている。保持部材３２は、第１構成部材３２ａが締結具２８の挿入方向上流側、第２構成部材３２ｂが下流側に位置するように、第１係合部２６内に収納されている。保持部材３２が第１係合部２６内に収納された状態で、第１係合部２６の内部には、保持部材３２より下流側に、収納凹部３３が形成されている。後述するが、締結具２８が挿通された状態で、締結具２８の先端部は収納凹部３３内に収納される。
【００４９】
第２ケース体２４の第２係合部２７は、第１係合部２６が嵌合する第１嵌合凹部５１と、締結具２８の基端部が嵌合する第２嵌合凹部５２とを備える。第１嵌合凹部５２の互いに対向する一対の内壁の一部を肉厚に成型し、その肉厚部にそれぞれ、第１係合部２６の係止部材３１が係合する係合溝５７が形成されている。
【００５０】
図１０は、締結具２８を基板ケース２２に仮固定した状態を示し、図１１は、第１係合部２６と第２係合部２７とを締結具２８によって締結した状態を示す。第２嵌合凹部５２は、締結具２８が第１係合部２６と第２係合部２７とを締結しない状態で、この締結具２８を掛止する掛止凹部６７を有する。掛止凹部６７は、締結具２８が第１係合部２６に挿通される挿通方向に長い凹部として構成される。
【００５１】
締結具２８は、図１０、図１１に示すように、第１係合部２６と第２係合部２７とを締結するためにこれらを掛止する掛止ピン７１と、掛止ピン７１の基端部側に設けられ、第２嵌合凹部５２を閉鎖する蓋体７２とを備える。
【００５２】
掛止ピン７１は、第１係合部２６の収納凹部３３に収納されるとともに、第１係合部２６と第２係合部２７とが係合した状態で両者を連結するために第１嵌合凹部５１内で掛止される掛止突起部７３とを備える。本実施形態において、掛止ピン７１には、２つの掛止突起部７３が形成されている。各掛止突起部７３は、板状に弾性変形可能に構成されている。
【００５３】
蓋体７２は、第２係合部２７における第２嵌合凹部５２の壁面に形成される掛止凹部６７に掛止される掛止部７５を備える。掛止部７５は、掛止ピン７１の長手方向に沿って突出している。この掛止部７５は、掛止ピン７１の軸心方向に対して所定の角度で交差する方向に突出する第１突起部７５ａ及び第２突起部７５ｂを備える。第１突起部７５ａは、掛止部７５の先端部に形成されている。第２突起部７５ｂは、掛止部７５の中途部に形成されている。
【００５４】
掛止凹部６７には、第１突起部７５ａ及び第２突起部７５ｂが通過可能な開口部６７ａが設けられており、第１突起部７５ａ及び第２突起部７５ｂは、この開口部６７ａを通過した後に、掛止凹部６７の内側で、この開口部６７ａの縁部に掛止される。より具体的には、締結具２８の掛止部７５の受け側である、掛止凹部６７の開口部６７ａの形状は、図９に示すように、４隅をアール加工した矩形状になっている。掛止部７５は、この開口部６７ａを通過して掛止凹部６７に嵌合するような形状を呈している。さらに具体的には、掛止部７５は、蓋体７２の裏面に、掛止ピン７１の長手方向に沿ってその周囲を覆う断面略矩形状の壁が立設され、この壁のうち、互いに対向する一対の壁の外面、先端側中央部に、第１突起部７５ａが突設され、一対の壁の外面中途部に第２突起部７５ｂが形成されている。
【００５５】
締結具２８が樹脂製、掛止部７５は肉薄、第１突起部７５ａが先端側に設けられているため、締結具２８挿入過程で、掛止部７５は、掛止凹部６７における開口部６７ａに当接して内側に弾性変形し、開口部６７ａ通過後に弾性復帰して、開口部６７ａの縁部に掛止されることによって、締結具２８の抜け止め効果を発揮する(図１０参照)。この状態は仮固定状態のため、例えば掛止部７５を内側に向かって押圧することで、第１突起部７５ａの掛止（仮止め）を解除して、締結具２８を取り外すことも可能である。
【００５６】
第２突起部７５ｂは、仮固定状態からさらに締結具２８を押し込んだときに、掛止凹部６７の開口部６７ａを通過し、掛止凹部６７の内側で開口部６７ａの縁部に掛止される。これによって、締結具２８が第１ケース体２３と第２ケース体とを締結するとともに、第２突起部７５ｂの掛止によって締結具２８の抜け止め効果が発揮される。
【００５７】
以下、本発明に係る基板ケース２２による払出制御基板１８及び遊技球貸出装置接続端子板１９の収納方法、及び封印方法について説明する。
【００５８】
払出制御基板１８及び遊技球貸出装置接続端子板１９を基板ケース２２に収納するには、まず、第２ケース体２４の上面にこれらを載置する。次に、第１ケース体２３を第２ケース体２４に重ね合わせるとともに、第１ケース体２３の側部に形成される突起部２３ａを、第２ケース体２４に形成されている溝部２４ｂに挿入する。この際、第１ケース体２３と第２ケース体２４とを長手方向にずらした状態で互いに重ね合わせる。次に、第１ケース体２３の第１係合部２６を第２ケース体２４の第２係合部２７に近づけるように、第１ケース体２３を長手方向に沿ってスライドさせる。そうすると、第１ケース体２３の突起部２３ａが、第２ケース体２４の溝部２４ｂに形成されている係止部２４ｃに係止されるとともに、第１係合部２６と第２係合部２７とが係合した状態になる。これにより、第１ケース体２３は、第２ケース体２４から厚さ方向に外れないように固定される。このとき、基板ケース２２は、第１ケース体２３及び第２ケース体２４によって、払出制御基板１８及び遊技球貸出装置接続端子板１９を挟むようにして被覆することになる。
【００５９】
第１係合部２６と第２係合部２７とが係合した状態(図９参照)では、第１係合部２６の突出部２６ａが、第２係合部２７の第１嵌合凹部５１に嵌合した状態になる。この嵌合状態においては、第１係合部２６の突出部２６ａに形成される第１開口部２９と、第１係合部２６内に設けられる保持部材３２に形成される第１開口部４６及び第３開口部４８とが締結具２８の挿通（挿入）方向に沿って一致した状態になる。なお、この状態において、第１係合部２６の係止部材３１は、保持部材３２から突出することなく、保持部材３２の内部に収納されている。
【００６０】
次に、第２嵌合凹部５２に締結具２８を挿入する。締結具２８はその挿入過程で、図１０に示すように、第１係合部２６と第２係合部２７とを締結することなく第１係合部２６に仮固定され得る。この仮固定状態では、掛止ピン７１の一端部に設けられる掛止突起部７３は、第１係合部２６内で保持部材３２に保持される２つの係止部材３１の係合凹部４２の間に位置するとともに、保持部材３２の第２構成部材３２ｂに形成される第３開口部４８の縁部に当接している。また、締結具２８の蓋体７２に設けられる掛止部７５の第１突起部７５ａが、第２係合部２７における第２嵌合凹部５２の壁面に形成される掛止凹部６７に嵌って掛止される。
【００６１】
この仮固定状態においては、締結具２８は、前記掛止部７５が掛止凹部６７に掛止されることにより、蓋体７２が引っ張られても、締結具２８が第２係合部２７から抜けはずれないようになっている。また、この仮固定状態では、掛止突起部７３の中途部は、保持部材３２内に保持されている係止部材３１の係合凹部４２の内側に位置している。
【００６２】
この仮固定状態から掛止ピン７１をさらに押し込むことにより、第１係合部２６と第２係合部２７とを締結する締結状態へと移行可能である。締結状態への移行の際には、先ず、係止ピン７１の掛止突起部７３が、一対の固定部４３を押圧して係止位置へスライド移動させる。具体的には、掛止突起部７３の突端７３ａは、係止部材３１に当接してこれを押圧する。これによって、２つの係止部材３１は互いに離れるように、すなわち、掛止ピン７１の挿入方向に対して直交する方向に移動する。すなわち、掛止突起部７３は、その挿入過程で係止部材に接触し係止部材を初期位置から係止位置に向けて押圧する押圧部としても機能する。
【００６３】
このとき、係止ピン７１の先端が内側に弾性変形するのに必要な力よりも、固定部４３をスライド移動させるのに必要な力のほうが小さいため、掛止ピン７１の掛止突起部７３に押圧されて固定部４３がスライド移動する。掛止ピン７１の外径最大部（掛止突起部７３の突端７３ａ）の通過に伴い、固定部４３は係止位置に移動し、係止部材３１を固定する。
【００６４】
その後、掛止ピン７１の掛止突起部７３は第３開口部４８を通過し、収納凹部３３に収納される。掛止突起部７３は、第３開口部４８を通過するときに、収縮するように弾性変形し、第３開口部４８を通過したときに、元の形状に戻る。これにより、掛止突起部７３は、第３開口部４の縁部に当接して締結具２８を抜けはずれないように掛止する（図１１参照）。このとき、掛止部７５の第２突起部７５ｂは、掛止凹部６７内に移動し、開口部６７ａの縁部に掛止される。
【００６５】
以上により、掛止ピン７１によって、第１係合部２６と第２係合部２７とが係合した状態で連結され、払出制御基板１８及び遊技球貸出装置接続端子板１９は、基板ケース２２が封印された状態で、基板ケース２２の収納部に収納される。
【００６６】
なお、基板ケース２２には２つの封印手段２５が設けられているが、そのうちの一方の封印手段２５による封印を行うとともに、他方の封印手段２５を予備のもとして、締結具２８を仮固定状態にしておくことが望ましい。基板ケース２２から払出制御基板１８及び遊技球貸出装置接続端子板１９を取り出す必要がある場合には、封印を行っている封印手段２５の解除を行う。この封印は、所定の工具を用いて、第１係合部２６と第２係合部２７とを破壊することによって解除される。封印を解除して、払出制御基板１８及び遊技球貸出装置接続端子板１９を基板ケース２２から取り出した後に、再びこれらを基板ケース２２内に収納する場合には、予備として残されている封印手段２５を利用することができる。
【００６７】
以上説明した本発明に係る基板ケース２２及び遊技機によれば、払出制御基板１８と遊技球貸出装置接続端子板１９を単一の基板ケース２２に収納することにより、遊技球貸出装置接続端子板１９を収納するためのケースを別途用意する必要がなくなり、部品点数の増加を防止できることとなる。しかも、払出制御基板１８、遊技球貸出装置接続端子板１９、及び接続部材２１を収納部に収納することによって、払出制御基板１８、遊技球貸出装置接続端子板１９及び接続部材２１に対する不正行為を防止できる。
【００６８】
また、払出制御基板１８と遊技球貸出装置接続端子板１９とを接続部材２１によって接続するとともに、これらを基板ケース２２に収納することにより、払出制御基板１８と遊技球貸出装置接続端子板１９の接続配線を用いる必要がなくなる。これにより、遊技機内部が配線によって煩雑になることを防止できるとともに、遊技機の製造コストを低減することも可能になる。
【００６９】
また、保護部材２０が端子板本体１９ａと端子部１９ｂとの間に介在することで、端子板本体１９ａと端子部１９ｂとの間の端子部分が覆われて保護されることになる。これによって、遊技球貸出装置接続端子板１９は基板ケース２２及びこの保護部材２０によって不正行為が行われないように強固に保護されることになる。
【００７０】
また、基板ケース２２は、締結具２８の掛止ピン７１による封印と、第１係合部２６内に設けられる係止部材３１による封印との２重の封印によって、不正行為の防止効果が高められる。
【００７１】
また、保持部材３２は、第２開口部４７を介して、係止部材３１の係止突起部４１を所定の方向（掛止ピン７１の進行方向に対して直交する方向）に確実に案内することが可能になる。
【００７２】
また、固定部４３によって、係止部材３１が第２係合部２７を係止する係止状態を維持することが可能になる。したがって、例えば、掛止ピン７１が不正に取りはずされた場合であっても、係止部材３１による第２係合部２７の係止（封印）が解除されることがなく、これによって不正行為をより効果的に防止できるようになる。
【００７３】
なお、本発明に係る基板ケース２２及び遊技機は、上記実施形態の構成に限定されるものではない。また、本発明に係る基板ケース２２及び遊技機は、上記した作用効果に限定されるものでもない。本発明に係る基板ケース２２及び遊技機は、本発明の要旨を逸脱しない範囲で種々の変更が可能である。
【００７４】
例えば、上記の実施形態では基板ケース２２に２つの封印手段２３が設けられた例を示したが、これに限定されず、封印手段２３の数は３以上の複数であってもよい。
【００７５】
上記の実施形態では、基板ケース２２が払出制御基板１８及び遊技球貸出装置接続端子板１９を収納する例を示したが、これに限定されない。基板ケース２２は、主制御部を構成する主制御基板、副制御部を構成する副制御基板等の制御基板を収納できる。
【符号の説明】
【００７６】
１…外枠、２…遊技盤、３…扉、４…表示装置、５…ガイドレール、６…ゲート、７…入球口、８…回収口、９…開閉手段、１０…ハンドル、１１…受皿、１１ａ…貸出ボタン、１１ｂ…返却ボタン、１２…ランプ、１３…スピーカ、１４…主制御部、１５…副制御部、１６…払出制御部、１８…払出制御基板、１８ａ…基板本体、１８ｂ…電子部品、１９…遊技球貸出装置接続端子板、１９ａ…端子板本体、１９ｂ…端子部、２０…保護部材、２０ａ…第１構成部材、２０ｂ…第２構成部材、２１…接続部材、２２…基板ケース、２３…第１ケース体、２３ａ…突起部、２３ｂ…露出孔、２３ｃ…周壁部、２３ｄ…リブ、２４…第２ケース体、２４ａ…壁部、２４ｂ…溝部、２４ｃ…係止部、２５…封印手段、２６…第１係合部、２６ａ…突出部、２７…第２係合部、２８…締結具、２９…第１開口部、３０…第２開口部、３１…係止部材、３２…保持部材、３２ａ…第１構成部材、３２ｂ…第２構成部材、３２ｃ…係止爪部、３３…収納凹部、４１…係止突起部、４２…係合凹部、４３…固定部、４４…突起部、４６…第１開口部、４７…第２開口部、４８…第３開口部、５１…第１嵌合凹部、５２…第２嵌合凹部、５７…係合溝、６７…掛止凹部、６７ａ…開口部、７１…掛止ピン、７２…蓋体、７３…掛止突起部、７３ａ…突端、７５…掛止部、７５ａ…第１突起部、７５ｂ…第２突起部
【図１】
2014166206.tif 000003
【図２】
2014166206.tif 000004
【図３】
2014166206.tif 000005
【図４】
2014166206.tif 000006
【図５】
2014166206.tif 000007
【図６】
2014166206.tif 000008
【図７】
2014166206.tif 000009
【図８】
2014166206.tif 000010
【図９】
2014166206.tif 000011
【図１０】
2014166206.tif 000012
【図１１】
2014166206.tif 000013
【図１２】
2014166206.tif 000014